(57)【要約】【課題】  皿類とコップや茶碗などを効率的に収容するとともに、効果的な水切りを行うことが可能とする水切り容器を簡易な構成により実現する。【解決手段】    底板に排水手段を設け、上面を開口した筐体状の水切り容器において、上面が平面をなす複数個の突起６を間隔を開けて底板１の上面に突設することにより、皿Ｄを、その下端を突起６と突起６の間の隙間に位置させて容器の壁面２に凭れかけさせることにより突起をストッパーとして水切り容器に立てかけさせたり、コップＣを、端部が複数の突起６上に位置するように伏せて収容することにより、水気を突起と突起の間の隙間に落下させて水切りを行う。【選択図】      図１
2020018410.tif 000002
【特許請求の範囲】
【請求項１】
底板に排水手段を設け、上面を開口した筐体状の水切り容器において、上面が平面をなす複数個の突起を間隔を開けて底板の上面に突設したことを特徴とする水切り容器。
【請求項２】
底板の上面に突設される突起は円形である請求項１記載の水切り容器。
【請求項３】
底板の上面に突設される突起は切頭円錐状である請求項２記載の水切り容器。
【請求項４】
水切り容器はプラスチックにより射出成形される請求項１から３のいずれかに記載の水切り容器。
【発明の詳細な説明】
【技術分野】
【０００１】
本願発明は台所において、水洗いをした後の食器やまな板などの水を切るために使用する水切り容器に関する。
【背景技術】
【０００２】
台所の流し台において水洗いをした後の食器やまな板などは本来の保管場所に収容する前に水切りを行って乾燥させなければならない。そのために上記の食器やまな板などの水切り対象物を仮収容するとともに、それらに付着した水を切るための水切り容器が広く使用されている。
【０００３】
前記の水切り容器は多数の網目を有する水切りかごや、多数の透かし孔を有する水切り板を上面を開口した筐体状の水切り容器に内嵌したものが公知である（特許文献１〜３）。
【先行技術文献】
【特許文献】
【０００４】
【特許文献１】実開平２−７８１６８
【特許文献２】特開平１０−２９０７７４
【特許文献３】意匠登録第１５２３６３８号
【発明の開示】
【発明が解決しようとする課題】
【０００５】
ところで、水気を帯びた水切り対象物は置きかたによって水の切れ具合が違ってくる。例えば皿類は寝かせるより立てた方が水切りが良く、同時に限られた容積の水切り容器内に効率より収容することができる。
【０００６】
前記の目的を達成するために、例えば特許文献２においては、水切りかごの底部に複数の丸棒状の支持リブを所定間隔おきで平行に配置してなる皿立て部を形成し、その皿立て部の各支持リブに、皿の下部周縁と係合可能な凹状の湾曲部を形成し、そこに皿を立てかけるようにしている。
また、特許文献３においては多数の透かし孔を有する水切り板上に多数の支柱を立設し、各支柱間に皿を立てかけるようにしている。
【０００７】
しかしながら、前記の従来技術においては、皿類を収容する場合は良いが、例えばコップや茶碗などの場合は支持リブや支柱が邪魔になって収容し難くなる問題があった。また、形状が複雑なので、この種の水切り容器で一般的なプラスチックにより射出成形することを想定した場合に成形手間を要する問題があった。また、形状が複雑なので、凹凸の隙間に陰ができて手洗いし難い問題もあった。
【課題を解決するための手段】
【０００８】
本願発明は以上の従来技術の問題点を解消した水切り容器を提供することを目的として創作されたものであり、底板に排水手段を設け、上面を開口した筐体状の水切り容器において、上面が平面をなす複数個の突起を間隔を開けて底板の上面に突設したことを特徴とする。
【０００９】
また、請求項２記載の発明は、前記の水切り容器において、底板の上面に突設される突起は円形であることを特徴とする。
【００１０】
また、請求項３記載の発明は、前記の水切り容器において、底板の上面に突設される突起は切頭円錐状であることを特徴とする。
【発明の効果】
【００１１】
本願発明の水切り容器によれば、上面が平面をなす複数個の突起を間隔を開けて底板の上面に突設しているので、図１や図６に示すように皿類を、その下端を突起と突起の間の隙間に位置させて容器の壁面に凭れかけさせれば突起がストッパーとなって、皿類を水切り容器に立てかけることが可能となる。
【００１２】
また、図１や図７に示すようにコップや茶碗などは、端部が突起上に位置するように伏せて収容すれば、水気は突起と突起の間の隙間に落下して効果的な水切りを行うことが可能となる。
【００１３】
前記の場合、請求項２記載の発明のように底板の上面に突設される突起を円形とすれば、突起の壁の全方位を前記の皿類に立てかけに使用でき、また、コップや茶碗などを伏せて収容する場合も水気が突起と突起の間の隙間に落下しやすくなる。
【００１４】
また、請求項３記載の発明のように底板の上面に突設される突起を切頭円錐状とすれば、突起と突起の間の隙間に傾斜面が生じ、水気はより落下しやすくなる。
【００１５】
以上のように、本願発明の水切り容器によれば、皿類を立てかけて収容できるにもかかわらず、コップや茶碗などを伏せて収容することの邪魔とならず、しかもコップや茶碗などを伏せて収容した場合でも効果的な水切りを行うことができる。
【００１６】
一方、以上の作用効果は複雑な形状となる支持リブや支柱でなく、単に上面が平面をなす複数個の突起を間隔を開けて底板の上面に突設するだけの構成で実現できるので、成形手間がかからない。また、手洗いもしやすく、汚れもこびりつきにくい。
【図面の簡単な説明】
【００１７】
【図１】本願発明の水切り容器の斜視図。
【図２】同上、正面図。
【図３】同上、平面図。
【図４】図３のＡ−Ａ線断面図。
【図５】図３のＢ−Ｂ線断面図。
【図６】本願発明の水切り容器の使用状態を示す要部の断面図。
【図７】本願発明の水切り容器の使用状態を示す要部の断面図。
【発明を実施するための最良の形態】
【００１８】
以下、本願発明の水切り容器の具体的実施例を添付図面に基づいて説明する。図１〜図５は水切り容器の全体を示す図である。この水切り容器は底板１の四周に立ち上がり壁２を有する上面を開口した筐体状に構成されるものであり、ここではプラスチックにより射出成形される。
【００１９】
前記の底板１は排水手段を有するものであり、ここでは中央付近に排水孔３を設けるとともに、底板の上面を上記排水孔に向けて緩やかに傾斜させることにより底板に落下した水分を排水孔に向けて誘導するようにしている。底板１の裏側には一端を前記排水孔３に連通させて水はけレール５が回転自在に設けられる。なお、図中符号４は排水孔３に圧入される排水栓である。
【００２０】
図中符号６は本願発明の特徴部分となる底板１の上面に突設される突起である。ここでは上面が平面をなす切頭円錐状の突起が互いに間隔を開けて横９列、縦６列の計５４個配される。前記の突起６は立てかけた皿類の端部のストッパーとなる程度の高さがあれば十分であり、具体的には数ｍｍであり、ここでは最低高さを２ｍｍとしている。
【００２１】
図６は本願発明の水切り容器の使用方法を示す図であり、皿Ｄを、その下端を突起６と突起６の間の隙間に位置させて容器の壁面２に凭れかけさせることにより突起をストッパーとして水切り容器に立てかけている。
【００２２】
図７は本願発明の水切り容器の異なる使用方法を示す図であり、コップＣを、端部が複数の突起６上に位置するように伏せて収容することにより、水気を突起と突起の間の隙間に落下させて水切りを行っている。
【符号の説明】
【００２３】
１      底板
２      立ち上がり壁
３      排水孔
４      排水栓
５      水はけレール
６      突起
Ｃ      コップ
Ｄ      皿
【図１】
2020018410.tif 000003
【図２】
2020018410.tif 000004
【図３】
2020018410.tif 000005
【図４】
2020018410.tif 000006
【図５】
2020018410.tif 000007
【図６】
2020018410.tif 000008
【図７】
2020018410.tif 000009